(57)【特許請求の範囲】
【請求項１】
商品分類コードにしたがって大分類された商品情報を所有する複数の情報センタから、それぞれ選択された大分類に属する第1のデータをを受信する通信制御手段と、
前記通信制御手段により前記複数の情報センタに順次接続して得られた前記第1のデータを保存するデータ記録手段と、
前記複数の情報センタの前記第1のデータに関連する第２のデータが保存された電子出版媒体を再生する電子出版媒体再生手段と、
前記データ記録手段に保存された前記第1のデータと前記電子出版媒体再生手段により
得られた第２のデータとを組み合わせ、前記複数の情報センタごとの商品データとして比較表示する表示手段とを具備したことを特徴とする電子商取引用プレーヤ。
【発明の詳細な説明】
【０００１】
【産業上の利用分野】
この発明は、商取引のための電子出版媒体と、販売会社などが運営する複数の情報センタとの通信を組み合わせて物品の購入などを行う電子商取引システムに関する。
【０００２】
【従来の技術】
従来の技術として、電話回線などを利用して情報センタなどから受信したデータと、ＣＤ−ＲＯＭなどの電子出版媒体から得られたデータを複合し、商取引に利用するシステムがあった。
【０００３】
図１０は従来の電子商取引システムを示す説明図である。２０１は販売会社などが運営する情報センタであり、電話回線２０２にて利用者側の電子カタログプレーヤ２０３内のモデム２０４と接続されている。２０５はＣＤ−ＲＯＭドライブであり、販売会社などが製作したＣＤ−ＲＯＭカタログ２０６を再生する。
【０００４】
利用者は入力部２０７から購入を希望する商品のデータを入力する。データ処理部２０８は、入力された商品のデータから必要な情報を判断し、データ処理手段記憶部２０９に記憶された手順に従って、モデム２０４を介して情報センタ２０１から商品名、価格、商品コードなどの情報を取り寄せ、データ記憶部２１０に保存する。またＣＤ−ＲＯＭドライブ２０５によりＣＤ−ＲＯＭカタログ２０６から画像データなどを読み出す。
【０００５】
データ処理部２０８において、情報センタ２０１からのデータとＣＤ−ＲＯＭカタログ２０６からのデータを複合し、表示部２１１に出力し、ディスプレイなどに表示する。
【０００６】
しかしながら、上記した従来の電子商取引システムでは、複数の情報センタのデータを比較する際、情報センタを変更するたびに他の情報センタと回線を接続し直さなければならず、同一の表示部で複数の情報センタからのデータを比較することができなかった。
【０００７】
【発明が解決しようとする課題】
上記したように従来の電子商取引システムによれば、商品の情報を得る際、それぞれ個々の情報センタにアクセスしなければならず、商品の比較検討が容易にはできなかった。
【０００８】
そこで、この発明は上記欠点を除去し、複数の情報センタに順次アクセスし、特定の商品の情報を保存して他の情報センタからの情報と比較することにより、購入商品の比較を容易にすることを目的とする。
【０００９】
【課題を解決するための手段】
上記の目的を達成するために、この発明の電子商取引用プレーヤでは、商品分類コードにしたがって大分類された商品情報を所有する複数の情報センタから、それぞれ選択された大分類に属する第1のデータをを受信する通信制御手段と、前記通信制御手段により前記複数の情報センタに順次接続して得られた前記第1のデータを保存するデータ記録手段と、前記複数の情報センタの前記第1のデータに関連する第２のデータが保存された電子出版媒体を再生する電子出版媒体再生手段と、前記データ記録手段に保存された前記第1のデータと前記電子出版媒体再生手段により得られた第２のデータとを組み合わせ、前記複数の情報センタごとの商品データとして比較表示する表示手段とを具備したことを特徴とする。
【００１０】
【作用】
このような構成においては、通信制御手段により、複数の情報センタから得た商品情報をデータ記録手段に記録保持する。この情報センタからのデータと電子出版媒体再生手段により再生した電子出版媒体のデータとを複合し、ユーザーに提供することにより、容易に商品の比較検討ができる。
【００１１】
【実施例】
この発明の実施例を図面を参照し、詳細に説明する。
図１はこの発明の一実施例を示すブロック図である。１０１、１０２および１０３は販売会社などが運営している情報センタである。１０４は情報センタ側と使用者側を接続する電話回線である。１０５は電話回線１０４に接続されたモデムである。１０６は利用者が入力を行う入力部、１０７はＣＤ−ＲＯＭドライブ、１０８はデータ処理と表示部などの制御を行うデータ処理部、１０９はデータ処理の手順を記録したデータ処理手順記憶装置、１１０は情報センタから送られてきたデータを保存しておくデータ記憶部、１１１は情報を表示するディスプレイなどの表示部である。
【００１２】
１１２は、モデム部１０５、入力部１０６、ＣＤ−ＲＯＭドライブ１０７、データ処理部１０８、データ処理手段記憶部１０９、表示部１１１から構成される電子カタログプレーヤである。
【００１３】
１１３は商品コードを使用して、商品の画像データの情報を検索できるＣＤ−ＲＯＭカタログである。
図２は販売会社の情報センタから、使用者側の電子カタログプレーヤに送られてくる情報のデータフォーマットを示す。販売会社から送られてくるデータは、販売会社のコード、販売会社名、発注先電話番号、商品名、商品コード、販売価格、有効期間などの情報から構成されている。
【００１４】
この実施例の動作を図３および図４のフローチャートを用いて詳細に説明する。情報センタ１０１は電話回線１０４を介して電子カタログプレーヤ１１２のモデム部１０５と接続する。
【００１５】
図３ｂ１に示すように、電子カタログプレーヤ１１２は情報センタ１０１からのアクセスにより、データ受信モードＣ１になる。
図４に示すように、情報センタ１０１側は、電子カタログプレーヤ１１２がデータ受信モードであることを確認したのち、図２に示したデータ形式で商品情報などのデータを送信する。ここで図４ｈ１に示すように、１ブロック受信ごとに電子カタログプレーヤ側から受信コードが返されてくるのを確認しながら行う。
【００１６】
送信中にエラーが発生しリトライコードが返されてきた場合は、直前のデータブロックを再送する。また、一定時間内に受信コードあるいはリトライコードのどちらかが返送されてこない場合には、情報センタ１０１と電子カタログプレーヤ１１２との回線の切断処理を行う。
【００１７】
また電子カタログプレーヤ１１２が、他の情報センタと接続されている場合などで電話回線１０４が使用中の場合は、情報センタ側で電話回線１０４が使用中であったことを記録しておき、一定時間経過後に再度接続処理を行う。
【００１８】
同様に、電子カタログプレーヤ１１２側のデータ処理手段記憶部１０９に記憶された各情報センタ１０２、１０３…についても接続処理を行い電子カタログプレーヤに対して商品情報などのデータを送信する。
【００１９】
次に利用者が電子商取引を行う場合の動作および表示画面を図５のフローチャートおよび図６を用いて詳細に説明する。商取引モードでは、最初にデータ記憶部１１０に保存されていた情報センタ１０１、１０２および１０３からの商品情報を表示部に表示する（図５ａ２  、図６Ａ）。
利用者はその表示画面を見て、希望の販売会社を入力部１０６により選択する（図５ｂ２  ）。次に図６Ｂに示すように、その販売会社の商品情報が表示されるので希望の商品があれば、その商品名を選択する（図５ｄ２  、ｅ２  ）。
【００２０】
商品名が選択されると、ＣＤ−ＲＯＭ１１３の画像データから該当する商品の画像を検索し、商品情報とともに表示する（図５ｆ２  、ｇ２  、図６Ｃ）。
次に他の販売会社のデータがある場合、これら複数のデータを比較し、ＣＤ−ＲＯＭ１１３の画像データとともに表示する（図５ｈ２  、ｉ２  、ｊ２  、図６Ｄ）。
【００２１】
はじめに選択した販売会社のデータも含めて最終的に販売会社を決定する（図５ｌ２  ）。商品の購入を決定したら、電話回線１０４を使って直接販売会社へ発注処理がなされる（図５ｍ２  、ｎ２  ）。
【００２２】
この実施例ではデータ受信モード時に情報センタからの商品情報を受信し、データ記憶部１１０に保存する構成であり、画像データなどの保存時のデータ量が大きくなりがちなデータについては、ＣＤ−ＲＯＭ１１３を利用し、これらの商品情報と画像を同時に表示することができる。
【００２３】
またデータ記憶部１１０に保存されている商品データは、書換可能なので常に新しい情報を提供することができる。
図７はこの発明の他の実施例を示すブロック図、図８は電子カタログプレーヤ１１５から情報センタ１０１に送信する商品分類コードである。図１に示す実施例と同様の構成には同一の番号を付し説明を省略する。
【００２４】
図９はこの実施例の動作を説明するフローチャートである。カタログショッピングを開始する際、利用者は、図８のように商品分類コードにしたがって大分類された中からいずれかの分類を選択する（図９ｂ３）。次に図７に示す接続情報記憶部１１４に登録された情報センタのデータに従って、情報センタ１０１と電話回線１０４の接続を行う（図９ｃ３）。電子カタログプレーヤは、情報センタとの電話回線１０４が接続されたのが確認されると、情報センタに図８に示す商品分類コードを送信する（図９ｄ３）。
【００２５】
情報センタ１０１は、電子カタログプレーヤから送信されてきた商品分類コードに従って、それに対応する商品情報を図２に示すデータ形式で電子カタログプレーヤに対して送信する（図９ｅ３）。
【００２６】
電子カタログプレーヤ１１５は、情報センタ１０１からの商品情報のコードを受信し、データ記録部１１０に保存する（図９ｆ３）。
次に情報センタ１０１との電話回線１０４を切断し、データ処理手段記録部１０９に記録された情報センタ１０２、１０３…と順次接続し、同様の動作を行う（図９ｈ３）。
【００２７】
データ処理手段記録部に記録された情報センタに全て接続し終わると図５のフローチャートに示す第１の実施例と同様な動作を行って商品の発注を実行する（図５ａ２〜ｍ２）。
【００２８】
この実施例では、利用者が大まかな商品分類を選択することで、自動的に複数の情報センタに電話回線を接続し、選択した商品に関しての情報を得ることができる。またそれらの情報を各情報センタ間で容易に比較検討することが可能となる。
【００２９】
【発明の効果】
以上説明したように、この発明によれば、電子商取引を利用する際、複数の情報センタから送られてきた情報をデータ記録部に保存することで、商品の比較検討を容易にすることが可能となる。
【図面の簡単な説明】
【図１】この発明の一実施例を示すブロック図である。
【図２】情報センタからのデータフォーマットを示す図である。
【図３】図１におけるスタート時のフローチャート図である。
【図４】図１におけるデータ受信モードのフローチャート図である。
【図５】図１における商取引モードのフローチャート図である。
【図６】図１における表示画面の説明図である。
【図７】この発明の他の実施例を示すブロック図である。
【図８】情報センタに送信する商品分類コードを示す図である。
【図９】図６における動作を説明するフローチャート図である。
【図１０】従来の電子商取引システムのブロック図である。
【符号の説明】
１０１…情報センタ、１０５…モデム、１０６…入力部、１０７…ＣＤ−ＲＯＭドライブ、１０８…データ処理部、１０９…データ処理手段記憶部、１１０…データ記憶部、１１１…表示部、１１２…電子カタログプレーヤ、１１３…ＣＤ−ＲＯＭカタログ。
【図１】
0003606889.tif 000002
【図２】
0003606889.tif 000003
【図３】
0003606889.tif 000004
【図４】
0003606889.tif 000005
【図５】
0003606889.tif 000006
【図６】
0003606889.tif 000007
【図７】
0003606889.tif 000008
【図８】
0003606889.tif 000009
【図９】
0003606889.tif 000010
【図１０】
0003606889.tif 000011